(57)【要約】  【課題】隣接ウォブルの位相不一致に起因する光ディスクの特性の低下を抑制することができる情報記録媒体を提供する。  【解決手段】情報記録媒体は、ウォブルした複数のトラックを備える。隣接ウォブルの位相不一致範囲が、１トラックのうちの一部の範囲である。【選択図】図３
2014142979.tif 000002
【特許請求の範囲】
【請求項１】
ウォブルした複数のトラックを備え、
隣接ウォブルの位相不一致範囲が、１トラックのうちの一部の範囲である情報記録媒体。
【請求項２】
上記位相不一致範囲は、エラー訂正ブロックよりも小さい請求項１に記載の情報記録媒体。
【請求項３】
円周方向に隣接する上記位相不一致範囲同士は、少なくともエラー訂正ブロックに相当する距離離して設けられている請求項１に記載の情報記録媒体。
【請求項４】
放射状に分割された複数の分割領域が設定されており、
上記位相不一致範囲は、上記分割領域の単位で設けられている請求項１に記載の情報記録媒体。
【請求項５】
１トラック内のウォブル総数は、中心から外周の方向に向かうに従って増加し、
上記増加分のウォブルは、上記複数の分割領域に順番に割り当てられている請求項４に記載の情報記録媒体。
【請求項６】
半径方向に向かって複数の区画が設定され、
上記複数の区画毎に、上記分割の数が異なっている請求項４に記載の情報記録媒体。
【請求項７】
上記区画の境界は、全ての分割領域のウォブル数が等しいトラックと、該トラックの次のトラックとの間に設けられている請求項６に記載の情報記録媒体。
【請求項８】
上記位相不一致範囲に加えて、隣接ウォブルの位相一致範囲を含み、
上記位相一致範囲は、１トラックのうちの残りの範囲である請求項１に記載の情報記録媒体。
【請求項９】
上記位相不一致範囲では、隣接ウォブル間の位相差が変化している請求項１に記載の情報記録媒体。
【請求項１０】
両側の隣接ウォブルとの位相差が、＋９０°または−９０°の一定値である範囲を含んでいる請求項１に記載の情報記録媒体。
【請求項１１】
１トラックにおけるウォブル数を１／２ウォブル増加させる複数のウォブル増加領域を含み、
上記ウォブル増加領域は、２トラックに１回の割合で設けられると共に、半径方向に重なるように設けられている請求項１０に記載の情報記録媒体。
【請求項１２】
ウォブルした複数のトラックを備え、
隣接ウォブルの位相不一致範囲が、１トラックのうちの一部の範囲である原盤。
【請求項１３】
ウォブルした複数のトラックを備え、
両側の隣接ウォブルとの位相差が、１トラックのうちの一部の範囲を除き、＋９０°または−９０°である情報記録媒体。
【請求項１４】
ウォブルした複数のトラックを備え、
両側の隣接ウォブルとの位相差が、１トラックのうちの一部の範囲を除き、＋９０°または−９０°である原盤。
【発明の詳細な説明】
【技術分野】
【０００１】
本技術は、情報記録媒体および原盤に関する。詳しくは、ウォブルした複数のトラックを備える情報記録媒体およびそれを作製するための原盤に関する。
【背景技術】
【０００２】
ＢＤ（Blu-ray Disc（登録商標））の追記型／書換型（Ｒ／ＲＥ）や、記録可能なＤＶＤ（Digital Versatile Disc）の一部などの、ＣＬＶ（Constant Linear Velocity）方式光ディスクフォーマットでは、クロック生成およびアドレス形成のため、ウォブル方式を採用するものが多く存在する。従来のＣＬＶフォーマット準拠の光ディスクでは、隣接トラック間のウォブル位相差は連続的に変化する。隣接トラック間のウォブル位相差が特定の条件を満たすと、記録再生特性やアドレス再生特性の劣化の原因となることがわかっている。
【０００３】
図１２は、ＢＤにおける隣接トラックとのウォブル位相差を示す図である。ディスク原盤は非常に高い精度で作られるため、ほぼＢＤ規格から計算される通りに、隣接トラックとのウォブル位相差は−１８０°から＋１８０度まで、およそ２周周期で変化する。
【０００４】
隣接トラックのウォブル位相が同位相でない場合、隣接トラックとのグルーブ中心間距離が周期的に変動し、光学的な干渉によってプッシュプル信号にウォブル信号と同じ周期の不要な信号が表れてしまう。これをウォブルビートと呼び、アドレス再生性能を劣化させる原因となる。また、内周トラックと外周トラックのウォブル位相が逆位相に近い条件では、ＲＦ（Radio Frequency）信号にもウォブル信号周期の不要信号が漏れこんでしまい、ＲＦ信号のジッターを劣化させる原因となる。記録に関しても、隣接トラックとの間隔（ランド幅）が変化することで、記録時の局所的な熱伝達が変化し、最適記録条件に局所的なずれが生じる原因となる。
【０００５】
図１３Ａ〜図１３Ｄに、周期的な隣接ウォブル位相変化から４パターンを抽出して示した概略図である。ＢＤでは、グルーブに情報信号の記録再生を行うグルーブフォーマットが採用されている。図１３Ａ〜図１３Ｄでは、３つのグルーブトラックＴn-1、Ｔn、Ｔn+1のウォブル位相が示されている。なお、図１３Ａ〜図１３Ｄのウォブル位相はそれぞれ、図１２に符号（Ａ）〜（Ｄ）で示した位置に対応している。中心のトラックＴnにレーザー光のスポットが集光し、トラックＴnをトレースしている。図１３Ａと図１３Ｃの場合、内外周のどちらかのトラックとウォブル位相が一致しているが、もう一方のトラックとはウォブル位相が反転している。両隣の位相関係が反転しているこの状態では、再生ＲＦ信号に不要信号成分が漏れこみ、再生特性として最悪条件となる。記録についても、隣接グルーブ間のランド幅変化が最も大きく、悪条件となる。図１３Ｂと図１３Ｄの場合、隣接トラックとの位相は９０度の大きさでずれており、両隣トラックの位相は揃っている。この条件では、再生ＲＦ信号へのウォブルビート成分漏れこみは最小で、ＲＦ再生特性としては最良となる。記録にかかわるランド幅変動量も、図１３Ａと図１３Ｃの場合と比較して少ない。
【０００６】
図１４は、隣接トラックのウォブル位相とＲＵＢ（Recording Unit Block）単位のＲＦジッターの関係を模式的に示した図である。図１４から、内周、または外周のどちらかのウォブルが同位相で、もう一つが逆位相の場合、最もＲＦジッターの悪化が顕著であることがわかる。
【０００７】
図１５に示すように、内周側および外周側の両隣接トラックのウォブルと同位相であることが望ましい。以下では、隣接トラックのウォブルを「隣接ウォブル」と適宜称する。同位相の状態であれば、ウォブルビート成分は発生しない。また、アドレス再生性能をさらに高めるためにウォブル振幅を大きくしても、記録・再生特性に影響がない。しかし、従来のＣＬＶフォーマット準拠光ディスクでは、図１５に示すように、内周側および外周側の両隣接ウォブルと位相を一致させることはできなかった。このため、隣接ウォブルとの位相の不一致により、光ディスクの特性が低下していた。
【０００８】
特許文献１では、データの記録および再生に使用されるクロック信号の安定化を目的として、半径方向にゾーン分割し、１つのゾーン内にて隣接ウォブルの波数および位相関係を同一にした光ディスクが提案されている。
【先行技術文献】
【特許文献】
【０００９】
【特許文献１】特開２００３−１２３２６５号公報
【発明の概要】
【発明が解決しようとする課題】
【００１０】
したがって、本技術の目的は、隣接ウォブルの位相不一致に起因する光ディスクの特性の低下を抑制することができる情報記録媒体およびそれを作製するための原盤を提供することにある。
【課題を解決するための手段】
【００１１】
上述の課題を解決するために、第１の技術は、
ウォブルした複数のトラックを備え、
隣接ウォブルの位相不一致範囲が、１トラックのうちの一部の範囲である情報記録媒体である。
【００１２】
第２の技術は、
ウォブルした複数のトラックを備え、
隣接ウォブルの位相不一致範囲が、１トラックのうちの一部の範囲である原盤である。
【００１３】
第３の技術は、
ウォブルした複数のトラックを備え、
両側の隣接ウォブルとの位相差が、１トラックのうちの一部の範囲を除き、＋９０°または−９０°である情報記録媒体である。
【００１４】
第４の技術は、
ウォブルした複数のトラックを備え、
両側の隣接ウォブルとの位相差が、１トラックのうちの一部の範囲を除き、＋９０°または−９０°である原盤である。
【発明の効果】
【００１５】
以上説明したように、本技術によれば、隣接ウォブルの位相不一致に起因する光ディスクの特性の低下を抑制することができる。
【図面の簡単な説明】
【００１６】
【図１】図１Ａは、本技術の第１の実施形態に係る光ディスクの外観の一例を示す平面図である。図１Ｂは、図１ＡのＩＢ−ＩＢ線に沿った断面の一部を示す断面図である。
【図２】図２は、半径区画のフォーマットを説明するための略線図である。
【図３】図３は、角度領域のフォーマットを説明するための略線図である。
【図４】図４Ａは、内周側および外周側の両隣接ウォブルと同位相である領域を示す概略図である。図４Ｂは、内周側の隣接ウォブルと非同位相であるのに対して、外周側の隣接ウォブルと同位相である領域を示す概略図である。図４Ｃは、内周側の隣接ウォブルと同位相であるのに対して、外周側の隣接ウォブルと非同位相である領域を示す概略図である。
【図５】図５は、半径区画間の境界部のフォーマットを説明するための略線図である。
【図６】図６は、隣接ウォブル位相変化およびＲＦジッター変化を示す図である。
【図７】図７Ａは、本技術の第１の実施形態に係る原盤の外観の一例を示す平面図である。図７Ｂは、図７ＡのＶIIＢ−ＶIIＢ線に沿った断面の一部を示す断面図である。
【図８】図８Ａは、９０°位相方式のみを適用した光ディスクのフォーマットを説明するための略線図である。図８Ｂは、隣接トラックとのウォブル位相変化を具体的に示した図である。
【図９】図９Ａ、図９Ｂは、内周側および外周側の両隣接ウォブルとの位相差を９０°とする方法を説明するための概略図である。
【図１０】図１０は、隣接ウォブル位相変化を示す図である。
【図１１】図１１は、ディスク角度領域分割方式と９０°位相方式とを組み合わせて適用した光ディスクのフォーマットを説明するための略線図である。
【図１２】図１２は、ＢＤにおける隣接ウォブルの位相差を示す図である。
【図１３】図１３Ａ〜図１３Ｄに、周期的な隣接ウォブル位相変化から４パターンを抽出して示した概略図である。
【図１４】図１４は、隣接ウォブルの位相とＲＵＢ単位のＲＦジッターの関係を模式的に示した図である。
【図１５】図１５は、内周側および外周側の両隣接ウォブルと同位相である状態を示す概略図である。
【発明を実施するための形態】
【００１７】
本技術の実施形態について図面を参照しながら以下の順序で説明する。
１．第１の実施形態（ディスク角度領域分割方式を採用した光ディスクの例）
１−１．概要
１−２．光ディスクの構成
１−３．光ディスクのフォーマット
１−４．原盤の構成
１−５．原盤のフォーマット
１−６．効果
２．第２の実施形態（９０°位相方式を採用した光ディスクの例）
２−１．概要
２−２．光ディスクのフォーマット
２−３．効果
３．変形例
【００１８】
＜１．第１の実施形態＞
［１−１．概要］
第１の実施形態は、ウォブル配置の工夫を行い、既存のＣＬＶ方式光ディスクフォーマットの許容誤差範囲内に十分入る変更で、隣接ウォブルの位相を大部分の領域で同位相にした光ディスクである。
【００１９】
ＢＤＸＬフォーマットを例にとると、ウォブル長さが規格標準値である場合、ユーザーエリアの最内周では、１トラックあたり約３７５００個程度のウォブルが存在する。ウォブル長さは約０．１２％程度の誤差が認められている。つまり、１トラックあたり約±４６個のウォブル数に相当するウォブル平均長さの違いがあっても、許容誤差範囲内である。第１の実施形態では、この許容誤差範囲に十分入る、微小なウォブル長さの変更を行って、ディスクの大部分の記録領域で、隣接ウォブル位相が同位相である状態を作り出す。
【００２０】
ＣＬＶ方式である以上、１トラック内に存在するウォブル個数は内周から外周に向けて徐々に増やすことが必要である。１トラック内に存在するウォブル個数が隣接トラックと異なる境界部分では、隣接トラックとのウォブル位相を完全に同位相とすることはできない。この非同位相部分をどのように配置するかという点は、第１の実施形態の特徴の１つである。
【００２１】
［１−２．光ディスクの構成］
図１Ａは、本技術の第１の実施形態に係る光ディスクの外観の一例を示す平面図である。光ディスク１０は、いわゆる追記型または書換型の光ディスク（光情報記録媒体）であり、図１Ａに示すように、中央に開口（以下「センターホール」と称する。）が設けられた円盤形状を有する。
【００２２】
図１Ｂは、図１ＡのＩＢ−ＩＢ線に沿った断面の一部を示す断面図である。光ディスク１０は、図１Ｂに示すように、情報信号層Ｌ、カバー層である光透過層１２がこの順序で基板１１の一主面に積層された構成を有する。
【００２３】
この第１の実施形態に係る光ディスク１０では、光透過層１２側の表面Ｃからレーザー光を情報信号層Ｌに照射することにより、情報信号の記録または再生が行われる。例えば、４００ｎｍ以上４１０ｎｍ以下の範囲の波長を有するレーザー光を、０．８４以上０．８６以下の範囲の開口数を有する対物レンズにより集光し、光透過層１２の表面Ｃの側から情報信号層Ｌに照射することにより、情報信号の記録または再生が行われる。このような光ディスク１０としては、例えば単層のＢＤ−Ｒ（Blu-ray Disc Recordable（登録商標））またはＢＤ−ＲＥ（Blu-ray Disc Rewritable（登録商標））が挙げられる。
【００２４】
以下、光ディスク１０を構成する基板１１、情報信号層Ｌおよび光透過層１２について順次説明する。
【００２５】
（基板）
基板１１は、例えば、中央にセンターホールが設けられた円盤形状を有する。この基板１１の一主面は、例えば、凹凸面となっており、この凹凸面上に情報信号層Ｌが成膜される。凹凸面は、グルーブＧおよびランドＬにより構成されている。グルーブＧおよびランドＬはそれぞれ、後述する原盤のグルーブおよびランドを転写することにより得られる部分である。なお、本明細書では、原盤製造時にレーザー光などにより露光される部分をグルーブＧと称し、隣接するグルーブ間に挟まれる部分をランドＬと称する。図１Ｂでは、凹凸面のうち凹部をグルーブＧ、凸部をランドＬとする例が示されている。
【００２６】
このグルーブＧおよびランドＬの形状としては、例えば、スパイラル状、同心円状などの各種形状が挙げられる。また、グルーブＧおよび／またはランドＬは、例えば、線速度の安定化やアドレス情報付加などのためにウォブル（蛇行）されている。グルーブＧおよびランドＬのうちの一方が情報信号を記録するためのトラックとして用いられる。以下では、グルーブＧをトラックとして用いた例について説明する。
【００２７】
基板１１の径（直径）は、例えば１２０ｍｍに選ばれる。基板１１の厚さは、剛性を考慮して選ばれ、好ましくは０．３ｍｍ以上１．３ｍｍ以下、より好ましくは０．６ｍｍ以上１．３ｍｍ以下、例えば１．１ｍｍに選ばれる。また、センターホールの径（直径）は、例えば１５ｍｍに選ばれる。
【００２８】
基板１１の材料としては、例えば、プラスチック材料またはガラスを用いることができ、コストの観点から、プラスチック材料を用いることが好ましい。プラスチック材料としては、例えば、ポリカーボネート系樹脂、ポリオレフィン系樹脂、アクリル系樹脂などを用いることができる。
【００２９】
情報信号層Ｌは、レーザー光の照射により情報信号を記録可能な記録層を少なくとも含んでいる。この記録層としては、例えば、情報信号を一度だけ書き込み可能な記録層、または情報信号を書き換え可能な記録層を用いることができる。
【００３０】
（光透過層）
光透過層１２は、例えば、紫外線硬化樹脂などの感光性樹脂を硬化してなる樹脂層である。この樹脂層の材料としては、例えば、紫外線硬化型のアクリル系樹脂が挙げられる。また、円環形状を有する光透過性シートと、この光透過性シートを基板１１に対して貼り合わせるための接着層とから光透過層１２を構成するようにしてもよい。
【００３１】
光透過層１２の厚さは、好ましくは１０μｍ以上１７７μｍ以下の範囲内から選ばれ、例えば１００μｍに選ばれる。このような薄い光透過層１２と、例えば０．８５程度の高ＮＡ(numerical aperture)化された対物レンズとを組み合わせることによって、高密度記録を実現することができる。
【００３２】
［１−３．光ディスクのフォーマット］
（記録領域）
図１Ａに示すように、光ディスク１０は記録領域Ａを有し、その記録領域Ａには、その内周から外周の方向（すなわち半径方向）に向かって複数の区画（以下「半径区画」という。）ａが順次設定されている。各半径区画ａは円環状を有している。なお、図１Ａでは、半径区画ａの分割数が「３」の例が示されているが、分割数はこの例に限定されるものではない。
【００３３】
（半径区画）
図２は、半径区画のフォーマットを説明するための略線図である。なお、図２では、図示を容易にするために、各半径区画ａを矩形状に変換して示している。また、図２でも、分割数が「３」の例を示しているが、上述したように、分割数はこの例に限定されるものではない。
【００３４】
各半径区画ａは、光ディスク１０の中心から放射状に分割された複数の分割領域（以下「角度領域」という。）を有している。角度領域の分割数は半径区画毎に異なっており、その分割数は外周側の角度領域ほど大きくなっている。例えば光ディスク１０の記録領域Ａを第１から第３の半径区画ａに３分割した場合には、第１から第３の半径区画ａの分割数はそれぞれ、「１０」、「１５」、「３０」に選ばれる。
【００３５】
（角度領域）
図３は、角度領域のフォーマットを説明するための略線図である。図３では、光ディスク１０の記録領域Ａを中心から放射状に１０等分に分割した例が示されている。ここでは、説明を容易にするため、１番目のトラックには３８０００個のウォブルが存在し、１トラックあたりおよそ２．５ＲＵＢ存在する条件としている。ＲＵＢは、メインデータ（記録再生データ）を記録する単位であり、所定の長さ例えば６４ｋバイトとされる。また、ＲＵＢはエラー訂正ブロックの単位でもある。
【００３６】
光ディスク１０の記録領域Ａには、隣接ウォブルの位相にずれがある位相不一致範囲と、隣接ウォブルの位相が一致する位相一致範囲とがある。位相不一致範囲が１トラックのうちの一部の範囲であり、位相一致範囲が１トラックのうちのその残りの範囲である。位相不一致範囲は、例えば分割領域の単位で設けられている。
【００３７】
図４Ａは、内周側および外周側の両隣接ウォブルと同位相である領域を示す概略図である。例えば、トラック（ＴＲＫ）番号「２」の角度領域番号「２〜４」および「６〜１０」に示した角度領域では、図４Ａに示すように、内周側および外周側の両隣接ウォブルが同位相の状態にある。
【００３８】
図４Ｂは、内周側の隣接ウォブルが非同位相であるのに対して、外周側の隣接ウォブルが同位相である領域を示す概略図である。例えば、トラック（ＴＲＫ）番号「２」の角度領域番号「１」に示した角度領域では、図４Ｂに示すように、内周側の隣接ウォブルが非同位相であるのに対して、外周側の隣接ウォブルが同位相である状態にある。
【００３９】
図４Ｃは、内周側の隣接ウォブルが同位相であるのに対して、外周側の隣接ウォブルが非同位相である領域を示す概略図である。例えば、トラック（ＴＲＫ）番号「２」の角度領域番号「５」に示した角度領域では、図４Ｃに示すように、内周側の隣接ウォブルが同位相であるのに対して、外周側の隣接ウォブルが非同位相である状態にある。
【００４０】
１トラック内のウォブル総数は、中心から外周の方向に向かうに従って、例えば１トラックまたは２トラックに１回の割合で１ウォブル増加している。ＢＤＸＬのパラメータを例にとると、規格通り正確にカッティングされた光ディスク１０では、１トラック外周に行くごとに、１トラックの長さは約０．５ウォブル分増加していく。そのため、基本的には２トラックに１ウォブルの割合でウォブルを増やしていけばよい。積み重なった誤差を補正するため、時々１トラックに１ウォブル増やす場所もあるものとする。増加分のウォブルは、例えば、角度領域に順番に割り当てられている。
【００４１】
ウォブル増加は、１トラックのうちの一部の範囲、好ましくは１トラックあたり１ＲＵＢ（すなわちエラー訂正ブロック）よりも小さい範囲、より好ましくは１トラックあたり１つの角度領域のみで行われることが好ましい。これにより、連続する隣接ウォブルの位相不一致範囲を１トラックのうちの一部の範囲、好ましくは１ＲＵＢよりも小さい範囲、より好ましくは１つの角度領域に限定することができる。図３では、隣接ウォブルの位相不一致範囲は、エラー訂正ブロックの単位である１ＲＵＢの１／４程度に限定される例が示されている。また、１ウォブル増やした角度領域でのウォブル長変化は０．０３％以下であり、既存ＢＤフォーマットにおけるウォブル長誤差規定を十分に満たすことができる。
【００４２】
ウォブルを増やしていく角度領域の順番については、特定のＲＵＢの内周および外周に同時に非同位相部分が発生することを回避するための工夫を行うことが好ましい。ＢＤの例では、最内周でも１トラックあたり２．７ＲＵＢ程度以上存在する。このため、ウォブルを増やしていく領域を、１ＲＵＢの長さに相当する距離より大きく離すことで、特定のＲＵＢの内周および外周に同時に非同位相部分が発生することを回避できる。例えば光ディスク１０の半径区画ａが１０分割されている場合、非同位相部分が発生する角度領域の順番を以下のように設定することが考えられる。
１→５→９→２→７→３→８→４→１０→６→１・・・（以下繰り返し）
このような順番に設定することで、非同位相部分が１周の４／１０以上離れていることを保証できる。
【００４３】
したがって、円周方向に隣接する位相不一致範囲同士は、少なくとも１ＲＵＢ（すなわちエラー訂正ブロック）に相当する距離離して設けることが好ましい。具体的には、円周方向に隣接する一方の位相不一致範囲の先端から他方の位相不一致範囲の先端まで、あるいは円周方向に隣接する一方の位相不一致範囲の末端から他方の位相不一致範囲の末端まで、少なくとも１ＲＵＢ（すなわちエラー訂正ブロック）に相当する距離離して設けることが好ましい。これにより、特定のＲＵＢ内に２つの位相不一致範囲が存在することを回避することができる。
【００４４】
本明細書では、光ディスク１０の中心から放射状に分割した角度領域を設定し、隣接するウォブルの位相不一致範囲を１トラックのうちの１つの角度領域の範囲に限定する方式を「ディスク角度領域分割方式」と称する。
【００４５】
（半径区画間の境界部）
図５は、半径区画間の境界部のフォーマットを説明するための略線図である。外周のトラック長は、内周に対して２．４倍程度の長さである。光ディスク１０の記録領域Ａの角度分割数を、半径によって変更することにより、ウォブル増加によるウォブル長変化のばらつきを、一定以下に抑えることができる。この分割数変更は、図５に示すように、すべての角度領域のウォブル数が等しいトラックの次のトラックで行うことが好ましい。すなわち、区画の境界は、全ての分割領域のウォブル数が等しいトラックと、このトラックの次のトラックとの間に設けられていることが好ましい。これにより、異なる角度領域が混在することを回避して、角度分割数を変更することができる。
【００４６】
図６は、隣接ウォブル位相変化およびＲＦジッター変化を示す図である。本実施形態では、隣接ウォブル位相による特性劣化が、エラー訂正ブロックである１ＲＵＢよりも短い領域に限定される。例えば、図３に示すように、１ＲＵＢを４つの角度領域に等分割した場合には、隣接ウォブル位相による特性劣化は、１ＲＵＢの約１／４程度に限定される。さらに非同位相部分で３６０°位相が動くことにより、既存ＢＤ準拠ディスクの隣接ウォブル位相逆相条件のＲＵＢに比べ、半分程度の劣化となる。これら２つの効果により、１ＲＵＢ単位の特性劣化は、既存光ディスクの１／８程度以下に抑制される。なお、当然、隣接ウォブル位相がすべて同位相であるＲＵＢにおいては、隣接ウォブル位相非同期による特性劣化は発生しない。
【００４７】
［１−４．原盤の構成］
図７Ａは、本技術の第１の実施形態に係る原盤の外観の一例を示す平面図である。原盤２０は、所謂マスター原盤であり、図７Ａに示すように、円盤形状を有し、その一主面が成形面Ｓとなる。成形面Ｓは、グルーブＧおよびランドＬにより構成された凹凸面である。凹凸面は、上述の光ディスク１０の凹凸面と同一の形状、またはその凹凸面の凹凸関係を反転した形状を有している。
【００４８】
ここでは、原盤２０がマスター原盤である場合を例として説明するが、マスター原盤２０から複製された複製原盤（スタンパなど）を原盤としてもよい。
【００４９】
図７Ｂは、図７ＡのＶIIＢ−ＶIIＢ線に沿った断面図である。原盤２０は、図７Ｂに示すように、基板２１と、基板１１の表面に設けられた形状層２２とを備える。
基板２１としては、例えばシリコン基板またはガラス基板などを用いることができる。形状層２２の材料としては、無機レジストを用いることが好ましい。無機レジストとしては、例えば、遷移金属などの金属の酸化物を用いることができる。形状層２２によりグルーブＧおよびランドＬが構成されている。
【００５０】
［１−５．原盤のフォーマット］
成形面Ｓが光ディスク１０の凹凸面と同一の形状を有している場合には、原盤２０のフォーマットは、第１の実施形態の光ディスク１０と同様である。一方、成形面Ｓが光ディスク１０の凹凸面の凹凸関係を反転した形状を有している場合には、原盤２０のフォーマットは、第１の実施形態の光ディスク１０においてグルーブＧおよびランドＬの関係を反転させたフォーマットである。
【００５１】
［１−６．効果］
本実施形態に係る光ディスク１０では、ディスク角度領域分割方式の採用により、既存のフォーマットに準拠しながら、光ディスク１０の記録領域Ａの大部分で隣接ウォブル位相を同位相とすることが可能になり、記録再生特性やアドレス再生特性が改善される。隣接ウォブル位相が同位相にできない境界部分においても、既存の光ディスクと比較して、隣接ウォブル位相による１ＲＵＢ単位のＲＦ特性やアドレス再生特性の劣化を軽減できる。
【００５２】
トラックウォブル方式が採用されているＣＬＶフォーマットの光ディスク１０において、隣接トラック間のウォブル位相を大部分の領域で一致させる、または、所望の位相にすることで、記録特性、再生特性およびアドレス読み出し特性を同時に改善することができる。
【００５３】
１トラックを光ディスク１０の中心角で等分割し、角度領域ごとにウォブルを増やしていくことで、隣接ウォブルの位相不一致範囲を常に１ＲＵＢより小さい範囲に制限し、既存のＣＬＶフォーマットの許容誤差を十分満たす微小なウォブル長変化をもって、ディスク特性を改善することができる。
【００５４】
連続したトラックでウォブルが増加する場合でも、特定のルールに従った順番で各角度領域を選択することにより、１ＲＵＢ内の隣接ウォブルの位相不一致範囲が一定に保たれる。
【００５５】
光ディスク１０の半径によって角度領域の分割数を変更することで、ウォブル増加による微小な線速度変化を光ディスク全体で一定範囲内に抑制することができる。
【００５６】
特許文献１では、光ディスクを半径方向にゾーン分割し、ゾーン内でのウォブルおよびフレーム数を整数個とする技術が提案されているが、この技術には以下の問題がある。
（１）．ゾーン境界で、１トラック全体に渡り隣接ウォブル位相が不一致となり、記録・再生特性が劣化する。
（２）．ゾーンをまたぐ際、クロック周波数が大きく変化するため、書き込み不良や再生不良の懸念がある。
（３）．上記（１）および（２）の問題点に対応するため、ゾーン境界の１トラックを使用しないなど、ドライブ側で特殊な対応が必要となる場合がある。
（４）．１フレームの記録・再生中にゾーン境界が来ると特に悪影響が大きいため、ゾーン内トラックはフレームの整数倍にする必要があった。この方式で容量低下を防ぐためには、ゾーンを小さくし、隣接ゾーン間のトラック内ウォブル数の差をなるべく小さくする必要があるが、フレームの整数倍を含むという条件がゾーンを小さくする限界となっていた。
【００５７】
本実施形態に係る光ディスク１０では、上述のゾーン分割方式の問題点（１）〜（４）をそれぞれ以下のように解決することができる。
（１）．隣接ウォブル不一致部分は１ＲＵＢの一部であり、記録再生特性の劣化は大きく改善される。
（２）．本実施形態に係る光ディスク１０では明確なゾーンが存在せず、大きなクロック周波数の変化は起きない。角度領域でウォブルが増加した部分の変化は０．０３％以下であり、記録再生に影響を及ぼさない。
（３）．本実施形態に係る光ディスク１０に対応するための変更をドライブ側に一切施すことなく、特性改善の効果を得ることができる。
（４）．本実施形態に係る光ディスク１０では連続したトラックでウォブルを増加させることが可能であり、明確なゾーンが存在しないため、上記（４）の問題点に対応する問題は発生しない。本実施形態に係る光ディスク１０において、１トラックあたりのフレームやＲＵＢを整数個にする必要はない。
【００５８】
＜２．第２の実施形態＞
［２−１．概要］
アドレス再生特性やＲＦ特性に与える影響を考えると、隣接ウォブル位相は同位相であることが最も望ましい。隣接ウォブルを同位相にすると、ウォブル信号と同じ周波数を持つウォブルビート信号がなくなるため、トラックに施されたウォブル振幅が全く同じであっても、再生時に得られるウォブル周波数信号振幅は小さくなる。アドレス再生に必要な信号だけが残るので、これはアドレス再生性能にとって好ましい変化である。しかし、例えばＢＤフォーマットは、隣接ウォブルが非同位相である想定のもとにウォブル信号のＣ／Ｎ（Carrier to Noise Ratio）を規定している。そのため、既存ＢＤフォーマットに上述のディスク角度領域分割方式を用いるとき、ウォブル信号規格を満たすために、記録・再生に影響が小さい形で、ある程度のウォブルビート成分を残したいケースもありうる。
【００５９】
そこで、第２の実施形態では、ディスク角度領域分割方式に対して、９０°位相方式を組み合わせた技術について説明する。なお、本明細書では、大部分の領域で隣接トラックとのウォブル位相を両方＋９０°または両方−９０°にする方式を「９０°位相方式」という。この方式を採用することで、ＲＦ信号特性に大きな劣化を招くことなく、既存のＢＤ準拠光ディスクと同程度のグルーブ間隔変動を発生させることができる。
【００６０】
［２−２．光ディスクのフォーマット］
（９０°位相方式）
まず、９０°位相方式のみを適用した光ディスクのフォーマットについて説明する。
【００６１】
図８Ａは、９０°位相方式のみを適用した光ディスクのフォーマットを説明するための略線図である。図８Ｂは、隣接トラックとのウォブル位相変化を具体的に示した図である。９０°位相方式のみを適用した光ディスク１０は、図８Ａに示すように、複数の０°位相領域と、複数の９０°位相領域と、複数の１／２ウォブル増加領域とを有する。
【００６２】
０°位相領域は、トラックのウォブルの位相が０°である領域である。９０°位相領域は、トラックのウォブルの位相が、０°位相領域のウォブルを基準にして＋９０°または−９０°となる領域である。１／２ウォブル増加領域は、１トラックにおけるウォブル数を１／２ウォブル増加させる領域である。
【００６３】
０°位相領域は、１トラックに相当する長さを有している。９０°位相領域の一端には１／２ウォブル増加領域が連続して設けられ、９０°位相領域と１／２ウォブル増加領域とを足し合わせた領域が、１トラックに相当する長さを有している。０°位相領域と９０°位相領域とは、光ディスク１０の中心から外周に向かってトラック単位で交互に設けられている。このため、光ディスク１０の記録領域Ａの大部分にて、内周側および外周側の両隣接ウォブルとの位相差が＋９０°、または−９０°となる。１／２ウォブル増加領域は、光ディスク１０の中心から外周の方向（すなわち半径方向）に向かって重なるように設けられていることが好ましい。
【００６４】
９０°位相方式では、（１）１トラックあたりのウォブル数を、ウォブル整数倍＋１／４個とする方法と、（２）２トラックに一回、１／２ウォブルを加算する１／２ウォブル増加領域を設ける方法と組み合わせて用いる。これらの２つの方法を組み合わせて用いることで、図８Ｂに示すように、記録領域Ａの大部分にて、内周側および外周側の両隣接ウォブルとの位相差を＋９０°、または−９０°にすることができる。
【００６５】
（１）１トラックあたりのウォブル数を、ウォブル整数倍＋１／４個とする方法のみ単独で用いた場合には、図９Ａに示すように、内周側および側周側の隣接ウォブルの位相が反転し、再生特性が最悪条件となる。一方、（１）１トラックあたりのウォブル数を、ウォブル整数倍＋１／４個とする方法と、（２）２トラックに一回、１／２ウォブルを加算する１／２ウォブル増加領域を設ける方法と組み合わせて用いた場合には、図９Ｂに示すように、内周側および側周側の隣接ウォブルの位相が一致し、再生特性が良好条件となる。
【００６６】
図１０は、隣接トラックとのウォブル位相変化を説明するための図である。図１０から、１／２ウォブル増加部分を除き、隣接トラックが＋９０°と−９０°とを繰り返していることがわかる。この方式の場合、内周および外周の隣接トラックとの位相差は１／２ウォブル増加部分も含めて等しいので、ＲＦ再生信号にウォブル周波数の漏れこみは発生しない。
【００６７】
（ディスク角度領域分割方式と９０°位相方式との組み合わせ）
次に、ディスク角度領域分割方式と９０°位相方式とを組み合わせて適用した光ディスクのフォーマットについて説明する。
【００６８】
図１１は、ディスク角度領域分割方式と９０°位相方式とを組み合わせて適用した光ディスクのフォーマットを説明するための略線図である。１／２ウォブル増加領域が２トラックに１回の割合で設けられている。１／２ウォブル増加領域は同一の角度領域のうちの同一位置に設けられていることが好ましい。これにより、光ディスク１０の中心から外周の方向（すなわち半径方向）に向かって重なるように１／２ウォブル増加領域を設けることができる。したがって、１／２ウォブル増加領域を設けた区画において、内周側および外周側の隣接ウォブルを同位相とし、ＲＦ信号に対する悪影響を抑制することができる。
【００６９】
１／２ウォブル増加領域は、例えばエラー訂正ブロックである１ＲＵＢよりも短い大きさ、好ましくは角度領域よりも短い大きさ、より好ましくは角度領域の半分以下の大きさを有している。これにより、１／２ウォブル増加領域を設けたことによる影響を低減することができる。
【００７０】
隣接ウォブル間には、図１１に示すように、第１の位相不一致範囲と、第２の位相不一致範囲と、第３の位相不一致範囲と、一定位相差範囲とがある。第１の位相不一致範囲は、基準ウォブル数に対するウォブル増加に起因して隣接ウォブル位相が不一致となる範囲である。この第１の位相不一致範囲が、上述の第１の実施形態における位相不一致範囲に対応する。基準ウォブル数は、例えば、記録領域（データ記録領域）Ａの最内周トラックの分割領域に含まれる最小ウォブル数、または各半径区画ａの最内周トラックの分割領域に含まれる最小ウォブル数である。第２の位相不一致範囲は、２トラックに１回の割合で０．５ウォブル増加させたことに起因して隣接ウォブル位相が不一致となる範囲である。第３の位相不一致範囲は、第１の位相不一致範囲と第２の位相不一致範囲とが重なっている範囲である。一定位相差範囲は、隣接ウォブルの位相差が９０°または−９０°の一定値となる範囲である。
【００７１】
ここで、隣接ウォブルの位相不一致範囲とは、円周方向に向かって隣接ウォブル間の位相差が変化している範囲を意味し、円周方向に向かって隣接ウォブル間の位相差が一定値（９０°または−９０°の一定値）である範囲は、隣接ウォブルの位相不一致範囲から除かれるものと定義する。
【００７２】
なお、９０°位相方式をディスク角度領域分割方式と組み合わせずに、９０°位相方式のみ単独を光ディスクに適用してもよい。
【００７３】
［２−３．効果］
大部分の領域において隣接トラックとのウォブル位相差を＋９０°または−９０°とすることで、隣接ウォブルの位相が同位相ではないことを前提として規格化された既存光ディスクフォーマット、すなわちウォブルビート成分を含んで規格化された既存光ディスクフォーマットのウォブル信号Ｃ／Ｎ規格を容易に満たすことができる。
【００７４】
ディスク角度領域分割方式に必要に応じて９０°位相方式を組み合わせることにより、既存ＣＬＶフォーマットへの本技術の導入がより容易となる。
【００７５】
ディスク角度領域分割方式を、既存のディスクフォーマットに対応させる際に、９０°位相方式を併用することで、ＲＦ信号の劣化を抑制したまま、ある程度のビート成分を前提とする既存ウォブル信号Ｃ／Ｎ規格を容易に満たすことが可能になった。
【００７６】
両側の隣接ウォブルとの位相差を１トラックのうちの一部の範囲を除き、＋９０°または−９０°としているので、隣接ウォブルの位相が図９Ａ、図１３Ａおよび図１３Ｃのような状態となり、光ディスク１０の特性が著しく悪化することを回避することができる。したがって、隣接ウォブルの位相不一致に起因する光ディスク１０の特性の低下を抑制することができる。
【００７７】
＜３．変形例＞
以上、本技術の実施形態について具体的に説明したが、本技術は、上述の実施形態に限定されるものではなく、本技術の技術的思想に基づく各種の変形が可能である。
【００７８】
例えば、上述の実施形態において挙げた構成、方法、工程、形状、材料および数値などはあくまでも例に過ぎず、必要に応じてこれと異なる構成、方法、工程、形状、材料および数値などを用いてもよい。
【００７９】
上述の実施形態の構成、方法、工程、形状、材料および数値などは、本技術の主旨を逸脱しない限り、互いに組み合わせることが可能である。
【００８０】
ディスク角度領域分割方式の角度領域の分割数は、対応させる光ディスク規格に応じて変更することが可能である。また、角度領域ごとに増やすウォブルの数は、１ウォブルより多くても構わない。
【００８１】
本技術は、既存ＣＬＶフォーマットに対して容易に適用することが可能であるばかりではなく、新規の高密度光ディスクに対しても適用可能である。新規の高密度光ディスクに対して本技術を適用する場合には、本技術を前提として高密度光ディスクのフォーマットを新たに規格化することも当然可能である。
【００８２】
上述の実施形態では、単層の情報信号層を有する光ディスクに対して本技術を適用した例について説明したが、本技術は２層以上の情報信号層を有する光ディスクに対しても適用可能である。この場合、中間層に設けられたウォブルトラックに対しても本技術を適用することが可能である。
【００８３】
上述の実施形態では、基板上に情報信号層、光透過層がこの順序で積層された構成を有し、この光透過層側からレーザー光を情報信号層に照射することにより情報信号の記録または再生が行われる光ディスクに対して本技術を適用した場合を例として説明したが、本技術はこの例に限定されるものではない。例えば、基板上に情報信号層、保護層がこの順序で積層された構成を有し、基板側からレーザー光を情報信号層に照射することにより情報信号の記録または再生が行われる光ディスク、もしくは２枚の基板の間に情報信号層が設けられた構成を有し、一方の基板の側からレーザー光を情報信号層に照射することにより情報信号の記録または再生が行われる光ディスクに対しても本技術は適用可能である。
【００８４】
上述の実施形態では、基板の表面に形状層が設けられた構成を有する原盤について説明したが、原盤の構成はこれに限定されるものではない。例えば、基板表面に直接凹凸形状が設けられた構成を採用するようにしてもよい。
【００８５】
また、本技術は以下の構成を採用することもできる。
（１）
ウォブルした複数のトラックを備え、
隣接ウォブルの位相不一致範囲が、１トラックのうちの一部の範囲である情報記録媒体。
（２）
上記位相不一致範囲は、エラー訂正ブロックよりも小さい（１）に記載の情報記録媒体。
（３）
円周方向に隣接する上記位相不一致範囲同士は、少なくともエラー訂正ブロックに相当する距離離して設けられている（１）から（２）のいずれかに記載の情報記録媒体。
（４）
放射状に分割された複数の分割領域が設定されており、
上記位相不一致範囲は、上記分割領域の単位で設けられている（１）から（３）のいずれかに記載の情報記録媒体。
（５）
１トラック内のウォブル総数は、中心から外周の方向に向かうに従って増加し、
上記増加分のウォブルは、上記複数の分割領域に順番に割り当てられている（４）に記載の情報記録媒体。
（６）
半径方向に向かって複数の区画が設定され、
上記複数の区画毎に、上記分割の数が異なっている（４）から（５）のいずれかに記載の情報記録媒体。
（７）
上記区画の境界は、全ての分割領域のウォブル数が等しいトラックと、該トラックの次のトラックとの間に設けられている（６）に記載の情報記録媒体。
（８）
上記位相不一致範囲に加えて、隣接ウォブルの位相一致範囲を含み、
上記位相一致範囲は、１トラックのうちの残りの範囲である（１）から（７）のいずれかに記載の情報記録媒体。
（９）
上記位相不一致範囲では、隣接ウォブル間の位相差が変化している（１）から（８）のいずれかに記載の情報記録媒体。
（１０）
両側の隣接ウォブルとの位相差が、＋９０°または−９０°°の一定値である範囲を含んでいる（１）から（９）のいずれかに記載の情報記録媒体。
（１１）
１トラックにおけるウォブル数を１／２ウォブル増加させる複数のウォブル増加領域を含み、
上記ウォブル増加領域は、２トラックに１回の割合で設けられると共に、半径方向に重なるように設けられている（１）から（１０）のいずれかに記載の情報記録媒体。
（１２）
ウォブルした複数のトラックを備え、
隣接ウォブルの位相不一致範囲が、１トラックのうちの一部の範囲である原盤。
（１３）
ウォブルした複数のトラックを備え、
両側の隣接ウォブルとの位相差が、１トラックのうちの一部の範囲を除き、＋９０°または−９０°である情報記録媒体。
（１４）
ウォブルした複数のトラックを備え、
両側の隣接ウォブルとの位相差が、１トラックのうちの一部の範囲を除き、＋９０°または−９０°である原盤。
【符号の説明】
【００８６】
１０    光ディスク
１１    基板
１２    光透過層
２０    原盤
２１    基板
２２    形状層
Ｇ    グルーブ
Ｌ    ランド
Ｃ    表面
Ｓ    成形面
【図１】
2014142979.tif 000003
【図２】
2014142979.tif 000004
【図３】
2014142979.tif 000005
【図４】
2014142979.tif 000006
【図５】
2014142979.tif 000007
【図６】
2014142979.tif 000008
【図７】
2014142979.tif 000009
【図８】
2014142979.tif 000010
【図９】
2014142979.tif 000011
【図１０】
2014142979.tif 000012
【図１１】
2014142979.tif 000013
【図１２】
2014142979.tif 000014
【図１３】
2014142979.tif 000015
【図１４】
2014142979.tif 000016
【図１５】
2014142979.tif 000017